(57)【要約】【課題】熱転写インクリボンを簡便に判別するための判別装置および方法を提供することを目的とする。【解決手段】熱転写インクリボンが巻かれるロール状の巻取り部と、巻取り部の軸方向端部に、巻取り部を回転させるための、巻取り部と同軸の円筒状外形を持つ駆動伝達部と、巻取り部の軸方向端部に、巻取り部と同軸の円筒状壁部と、円筒状壁部の周面に、周方向全周に渡って等間隔に配置される複数の同形の切欠き部と、を有し、切欠き部の円筒状部周面上の個数は、前記熱転写インクリボンコアの軸に巻いた熱転写インクリボンの種類に対応した偶数の数である熱転写インクリボンコア。熱転写インクリボンコアの切欠き部の数を計数することにより、熱転写インクリボンの種類を判別する装置および方法。【選択図】  図１
2022000332.tif 000002
【特許請求の範囲】
【請求項１】
熱転写インクリボンが巻かれる熱転写インクリボンコアであって、
熱転写インクリボンが巻かれるロール状の巻取り部と、
前記巻取り部の軸方向端部に、巻取り部を回転させるための、前記巻取り部と同軸の円筒状外形を持つ駆動伝達部と、
前記巻取り部の軸方向端部に、前記巻取り部と同軸の円筒状壁部と、
前記円筒状壁部の周面に、周方向全周に渡って等間隔に配置される複数の同形の切欠き部と、
を有し、
前記駆動伝達部の外径は、前記円筒状壁部の内径よりも小さく、
前記巻取り部の軸方向端部面から前記駆動伝達部端部面までの軸方向距離は、前記巻取り部の軸方向端部面から前記円筒状壁部における切欠き部底部面までの軸方向距離より小さく、
前記切欠き部の円筒状壁部周面上の個数は、前記熱転写インクリボンコアの軸に巻いた熱転写インクリボンの種類に対応した偶数の数であることを特徴とする熱転写インクリボンコア。
【請求項２】
請求項１記載の熱転写インクリボンを判別する装置であって、
前記熱転写インクリボンコアの軸に垂直で前記切欠き部を含む平面上に前記熱転写インクリボンコア軸を通る光軸を持つ投光部と、その光軸上にある受光部とから構成される透過型センサとを、前記熱転写インクリボンコアの外に備え、
前記熱転写インクリボンコアの前記駆動伝達部に連結し前記熱転写インクリボンコアを回転させる回転駆動部と、
前記回転駆動部により前記熱転写インクリボンコアを等速回転させた時の、切欠き部からの透光による透過型センサの受光部の出力信号から、前記円筒状壁部周面上の切欠き部の個数を計数し、その個数から前記熱転写インクリボンコアに巻かれた熱転写インクリボンの種類を判別する判別手段と、
を有することを特徴とする熱転写インクリボン判別装置。
【請求項３】
請求項１記載の熱転写インクリボンを判別する装置であって、
前記熱転写インクリボンコアの軸に垂直で前記切欠き部を含む平面上に前記熱転写インクリボンコア軸に向かう光軸を持つ投光部と、前記投光部の光の前記円筒状壁部周面からの反射光をとらえる受光部とから構成される反射型センサを、前記熱転写インクリボンコアの外に備え、
前記熱転写インクリボンコアの前記駆動伝達部に連結し前記熱転写インクリボンコアを回転させる回転駆動部と、
前記回転駆動部により前記熱転写インクリボンコアを等速回転させた時の、前記円筒状壁部からの反射光による反射型センサの受光部の出力信号から、前記円筒状壁部周面上の切欠き部の個数を計数し、その個数から前記熱転写インクリボンコアに巻かれた熱転写インクリボンを判別する判別手段を有することを特徴とする熱転写インクリボン判別装置。
【請求項４】
請求項１記載の熱転写インクリボンを判別する方法であって、
前記熱転写インクリボンコアの軸に垂直で前記切欠き部を含む平面上に前記熱転写インクリボンコア軸を通る光軸を持つ投光部と、その光軸上にある受光部とから構成される透過型センサとを、前記熱転写インクリボンコアの外に配置し、
前記熱転写インクリボンコアを等速回転させた時の、切欠き部からの透光による透過型センサの受光部の出力信号から、前記円筒状壁部周面上の切欠き部の個数を計数し、その個数から前記熱転写インクリボンコアに巻かれた熱転写インクリボンの種類を判別することを特徴とする熱転写インクリボン判別方法。
【請求項５】
請求項１記載の熱転写インクリボンを判別する方法であって、
前記熱転写インクリボンコアの軸に垂直で前記切欠き部を含む平面上に前記熱転写インクリボンコア軸に向かう光軸を持つ投光部と、前記投光部の光の前記円筒状壁部周面からの反射光をとらえる受光部とから構成される反射型センサを、前記熱転写インクリボンコアの外に配置し、
前記熱転写インクリボンコアを等速回転させた時の、前記円筒状壁部からの反射光による反射型センサの受光部の出力信号から、前記円筒状壁部周面上の切欠き部の個数を計数し、その個数から前記熱転写インクリボンコアに巻かれた熱転写インクリボンを判別することを特徴とする熱転写インクリボン判別方法。
【発明の詳細な説明】
【技術分野】
【０００１】
本発明は、熱転写インクリボンを判別するための熱転写インクリボンコアと、熱転写インクリボンコアによる熱転写インクリボンの判別装置および方法に関する。
【背景技術】
【０００２】
熱転写記録方式プリンタが、ＩＤカードの表面に印刷すること等に用いられている。このプリンタの熱転写機録方式には、熱転写インクリボンから直接印画対象に画像を熱転写記録する直接熱転写方式と、熱転写インクリボンから一旦中間転写フィルム上に画像を熱転写記録し、次いでヒートローラ等の加熱加圧手段で印画対象上に画像を再転写する間接熱転写方式のものがある。
【０００３】
印刷用途の多岐化によって、熱転写記録方式プリンタで使用する熱転写インクリボンも種類が増え、印刷準備で熱転写記録方式プリンタに熱転写インクリボンをセットするときに、プリンタに熱転写インクリボンの種類の情報を与え、プリンタはその種類情報によって、最適制御をする必要がある。熱転写インクリボンの種類情報をプリンタに伝えるときに、手動ではなく、熱転写インクリボンを自動判別して、プリンタに情報をあたえるのが効率的である。また入手した熱転写インクリボンが正規品であるか真偽判定も行ないたい。
【０００４】
そこで、熱転写インクリボンにマークが印刷されており、そのマークによって、熱転写インクリボンの種類を判別する方法がある。プリンタに熱転写インクリボンを装着時に、熱転写インクリボンを搬送し熱転写インクリボンのマークをセンサによって読み取ることを行なうが、熱転写インクリボン搬送時に、熱転写インクリボンに汚れが付着し、その汚れが印刷不良を起こす可能性があった。
【０００５】
特許文献１では、熱転写インクリボンが巻かれるコアの端面にＩＣタグを取り付けて、プリンタに設置されたＩＣタグリーダでＩＣタグを非接触で読み取り、種類を判別する方法が開示されている。この方法ではＩＣタグのコアへの設置、プリンタでのＩＣタグリーダ設置、ＩＣタグ自体により、コストがかかってしまう問題があった。
【０００６】
特許文献２では、熱転写インクリボンが巻かれるコアの端部において熱転写インクリボンの種類に応じた切欠き部の形状を設け、コアの端部の形状を、光学的に読み取って熱転写インクリボンを判別する装置が開示されている。コアの端部の形状を光学的に読み取る部位に細緻化がもとめられその装置ならびにコアをセットするための手間にコストがかかってしまう問題があった。
【先行技術文献】
【特許文献】
【０００７】
【特許文献１】特開２００５−１９９５８２号公報
【特許文献２】特開２０２０−１３２４号公報
【発明の概要】
【発明が解決しようとする課題】
【０００８】
熱転写インクリボンを簡便に判別するための判別装置および方法を提供することを目的とする。
【課題を解決するための手段】
【０００９】
本発明は上記課題を解決するためになされたもので、本発明の請求項１に係る発明は、熱転写インクリボンが巻かれる熱転写インクリボンコアであって、熱転写インクリボンが巻かれるロール状の巻取り部と、前記巻取り部の軸方向端部に、巻取り部を回転させるための、前記巻取り部と同軸の円筒状外形を持つ駆動伝達部と、前記巻取り部の軸方向端部に、前記巻取り部と同軸の円筒状壁部と、前記円筒状壁部の周面に、周方向全周に渡って等間隔に配置される複数の同形の切欠き部と、を有し、前記駆動伝達部の外径は、前記円筒状壁部の内径よりも小さく、前記巻取り部の軸方向端部面から前記駆動伝達部端部面までの軸方向距離は、前記巻取り部の軸方向端部面から前記円筒状壁部における切欠き部底部面までの軸方向距離より小さく、前記切欠き部の円筒状部周面上の個数は、前記熱転写インクリボンコアの軸に巻いた熱転写インクリボンの種類に対応した偶数の数であることを特徴とする熱転写インクリボンコアである。
【００１０】
本発明の請求項２に係る発明は、請求項１記載の熱転写インクリボンを判別する装置であって、前記熱転写インクリボンコアの軸に垂直で前記切欠き部を含む平面上に前記熱転写インクリボンコア軸を通る光軸を持つ投光部と、その光軸上にある受光部とから構成される透過型センサとを、前記熱転写インクリボンコアの外に備え、前記熱転写インクリボンコアを回転させる回転駆動部と、前記回転駆動部により前記熱転写インクリボンコアを等速回転させた時の、切欠き部による透光による透過型センサの受光部の出力信号から、前記円筒状壁部周面上の切欠き部の個数を計数し、その個数から前記熱転写インクリボンコアに巻かれた熱転写インクリボンの種類を判別する判別手段とを有することを特徴とする熱転写インクリボン判別装置である。
【００１１】
本発明の請求項３に係る発明は、請求項１記載の熱転写インクリボンを判別する装置であって、前記熱転写インクリボンコアの軸に垂直で前記切欠き部を含む平面上に前記熱転写インクリボンコア軸に向かう光軸を持つ投光部と、前記投光部の光の前記円筒状壁部周面からの反射光をとらえる受光部とから構成される反射型センサを、前記熱転写インクリボンコアの外に備え、前記熱転写インクリボンコアを回転させる回転駆動部と、前記回転駆動部により前記熱転写インクリボンコアを等速回転させた時の、前記円筒状壁部からの反射光による反射型センサの受光部の出力信号から、前記円筒状壁部周面上の切欠き部の個数を計数し、その個数から前記熱転写インクリボンコアに巻かれた熱転写インクリボンを判別する判別手段を有することを特徴とする熱転写インクリボン判別装置である。
【００１２】
本発明の請求項４に係る発明は、請求項１記載の熱転写インクリボンを判別する方法であって、前記熱転写インクリボンコアの軸に垂直で前記切欠き部を含む平面上に前記熱転写インクリボンコア軸を通る光軸を持つ投光部と、その光軸上にある受光部とから構成される透過型センサとを、前記熱転写インクリボンコアの外に配置し、前記熱転写インクリボンコアを等速回転させた時の、切欠き部による透光による透過型センサの受光部の出力信号から、前記円筒状壁部周面上の切欠き部の個数を計数し、その個数から前記熱転写インクリボンコアに巻かれた熱転写インクリボンの種類を判別することを特徴とする熱転写インクリボン判別方法である。
【００１３】
本発明の請求項５に係る発明は、請求項１記載の熱転写インクリボンを判別する方法であって、前記熱転写インクリボンコアの軸に垂直で前記切欠き部を含む平面上に前記熱転写インクリボンコア軸に向かう光軸を持つ投光部と、前記投光部の光の前記円筒状壁部周面からの反射光をとらえる受光部とから構成される反射型センサを、前記熱転写インクリボンコアの外に配置し、前記熱転写インクリボンコアを等速回転させた時の、前記円筒状壁部からの反射光による反射型センサの受光部の出力信号から、前記円筒状壁部周面上の切欠き部の個数を計数し、その個数から前記熱転写インクリボンコアに巻かれた熱転写インクリボンを判別することを特徴とする熱転写インクリボン判別方法である。
【発明の効果】
【００１４】
熱転写インクリボンを簡便に判別するための判別装置および方法を提供することが可能となった。
【図面の簡単な説明】
【００１５】
【図１】本発明の実施形態に係る熱転写インクリボンコアの構造の一例を模式的に表す説明図であり、図１（ａ）は模式的上面図、図１（ｂ）は模式的側面図である。
【図２】本発明の実施形態に係る熱転写インクリボンコアの構造の一例を模式的に表す説明図であり、模式的斜視図である。
【図３】本発明の実施形態に係る熱転写インクリボン判別装置の構成の一例を模式的に表す説明図であり、図３（ａ）は模式的上面図、図３（ｂ）は模式的側面図である。
【図４】本発明の実施形態に係る熱転写インクリボン判別装置の構成の一例を模式的に表す説明図であり、図４（ａ）は模式的上面図、図４（ｂ）は模式的側面図である。
【図５】本発明の実施形態に係る熱転写インクリボン判別装置の一例において透過型センサの受光部の出力信号の一例のタイミングチャートである。
【図６】本発明の実施形態に係る熱転写インクリボン判別装置の一例において反射過型センサの受光部の出力信号の一例のタイミングチャートである。
【発明を実施するための形態】
【００１６】
本発明の実施形態に係る熱転写インクリボンコアの実施形態を添付図面を参照して説明する。
【００１７】
図１は本発明の実施形態に係る熱転写インクリボンコアの構造の一例を模式的に表す説明図であり、図１（ａ）は模式的上面図、図１（ｂ）は模式的側面図である。図２は本発明の実施形態に係る熱転写インクリボンコアの構造の一例を模式的に表す説明図であり、模式的斜視図である。
【００１８】
熱転写インクリボンコア１は、熱転写インクリボンが巻かれるロール状の巻取り部１０と、巻取り部１０の軸方向端部に、巻取り部１０を回転させるための、巻取り部１０と同軸の円筒状外形を持つ駆動伝達部２０と、巻取り部１０の軸方向端部１５に、巻取り部１０と同軸の円筒状壁部３０と、円筒状壁部３０の周面に、周方向全周に渡って等間隔に配置される複数の同形の切欠き部３５と、を有し、駆動伝達部２０の外径は、円筒状壁部３０の内径よりも小さく、巻取り部の軸方向端部１５面から駆動伝達部の端部２５面までの軸方向距離ｈｄは、巻取り部１０の軸方向端部１５面から円筒状壁部３０における切欠き部底部３６面までの軸方向距離ｈｋより小さく、切欠き部３５の円筒状壁部３０周面上の個数は、熱転写インクリボンコア１の軸に巻いた熱転写インクリボンの種類に対応した偶数の数で、熱転写インクリボンコア１の端面を、熱転写インクリボンコア１の外側の巻取り部１０の軸上から見た場合、円筒状壁部３０の切欠き部３５は、巻取り部１０の軸を中心に、点対称な位置にある。図１と図２の熱転写インクリボンコア１は例として円筒状壁部３０周面に６個の切欠き部３５を有している。
【００１９】
円筒状壁部３０周面における切欠き部３５の個数は、熱転写インクリボンの種類に応じて決められている。
【００２０】
次に、本発明の実施形態に係る熱転写インクリボンコア１を使った熱転写インクリボン判別装置の実施形態を添付図面を参照して説明する。
【００２１】
図３は本発明の実施形態に係る熱転写インクリボン判別装置の構成の一例を模式的に表す説明図であり、図３（ａ）は模式的上面図、図３（ｂ）は模式的側面図である。
【００２２】
熱転写インクリボン判別装置１００は、熱転写インクリボンコア１の軸に垂直で切欠き３５を含む平面上に前記熱転写インクリボンコア１軸を通る光軸を持つ投光部４０と、その光軸上にある受光部５０とから構成される透過型センサとを、熱転写インクリボンコア１の外に備え、熱転写インクリボンコア１の駆動伝達部２０に連結し熱転写インクリボンコア１を回転させる回転駆動部（不図示）と、前記回転駆動部により熱転写インクリボンコア１を等速回転させた時の、切欠き部３５からの透光による透過型センサの受光部５０の出力信号から、円筒状壁部３０周面上の切欠き部３５の個数を計数し、その個数から熱転写インクリボンコア１に巻かれた熱転写インクリボンの種類を判別する判別手段と、を有する。
【００２３】
図５は本発明の実施形態に係る熱転写インクリボン判別装置の一例において透過型センサの受光部の出力信号の一例のタイミングチャートである。
【００２４】
図３に示される熱転写インクリボン判別装置１００において、回転駆動部により熱転写インクリボンコア１を等速回転させた時の、切欠き部３５からの透光による透過型センサの受光部の出力信号は、図５に示される出力信号の推移となる。制御部（不図示）によって、周方向一周に要する時間内の、円筒状壁部３０周面上の切欠き部３５による透過光による受光部の出力信号をカウントすることによって、円筒状壁部３０周面上の切欠き部３５の個数を計数し、その個数から熱転写インクリボンコア１に巻かれた熱転写インクリボンの種類を判別する。
【００２５】
また、制御部は、切欠き部３５の個数がゼロであるか、あるいは熱転写インクリボンの種類に対応していない個数である場合は、熱転写インクリボンが正規品でないと判断する。
【００２６】
次に、本発明の別の実施形態に係る熱転写インクリボンコア１を使った熱転写インクリボン判別装置の実施形態を添付図面を参照して説明する。
【００２７】
図４は本発明の実施形態に係る熱転写インクリボンコア１を使った熱転写インクリボン判別装置の構成の一例を模式的に表す説明図であり、図４（ａ）は模式的上面図、図４（ｂ）は模式的側面図である。
【００２８】
熱転写インクリボン判別装置２００は、熱転写インクリボンコア１の軸に垂直で切欠き部３５を含む平面上に前記熱転写インクリボンコア１軸に向かう光軸を持つ投光部６０と、投光部６０の光の円筒状壁部周面からの反射光をとらえる受光部７０とから構成される反射型センサを、熱転写インクリボンコア１の外に備え、熱転写インクリボンコア１の駆動伝達部２０に連結し熱転写インクリボンコア１を回転させる回転駆動部（不図示）と、前記回転駆動部により熱転写インクリボンコア１を等速回転させた時の、円筒状壁部３０からの反射光による反射型センサの受光部７０の出力信号から、円筒状壁部３０周面上の切欠き部３５の個数を計数し、その個数から熱転写インクリボンコア１に巻かれた熱転写インクリボンを判別する判別手段を有する。
【００２９】
図６は本発明の実施形態に係る熱転写インクリボン判別装置の一例において透過型センサの受光部の出力信号の一例のタイミングチャートである。
【００３０】
図４に示される熱転写インクリボン判別装置２００において、回転駆動部により熱転写インクリボンコア１を等速回転させた時の、円筒状壁部３０からの反射光による反射型センサの受光部の出力信号は、図６に示される出力信号の推移となる。制御部（不図示）によって、周方向一周に要する時間内の、円筒状壁部３０周面上の切欠き部３５ではない円筒状壁部３０からの反射光による受光部の出力信号をカウントすることによって、円筒状壁部３０周面上の切欠き部３５の個数を計数し、その個数から熱転写インクリボンコア１に巻かれた熱転写インクリボンの種類を判別する。
【００３１】
また、制御部は、切欠き部３５の個数がゼロであるか、あるいは熱転写インクリボンの種類に対応していない個数である場合は、熱転写インクリボンが正規品でないと判断する。
【００３２】
別の実施形態は、熱転写インクリボンを判別する方法であって、図３で示されるように、熱転写インクリボンコア１の軸に垂直で切欠き部３５を含む平面上に熱転写インクリボンコア１軸を通る光軸を持つ投光部４０と、その光軸上にある受光部５０とから構成される透過型センサとを、熱転写インクリボンコア１の外に配置し、熱転写インクリボンコア１を等速回転させた時の、切欠き部３５からの透光による透過型センサの受光部５０の出力信号から、円筒状壁部３０周面上の切欠き部３５の個数を計数し、その個数から熱転写インクリボンコアに巻かれた熱転写インクリボンの種類を判別する熱転写インクリボン判別方法である。この判別時において、切欠き部３５の個数がゼロであるか、あるいは熱転写インクリボンの種類に対応していない個数である場合は、熱転写インクリボンが正規品でないと判断する。
【００３３】
さらに別の実施形態は、熱転写インクリボンを判別する方法であって、図４で示されるように、熱転写インクリボンコア１の軸に垂直で切欠き部３５を含む平面上に熱転写インクリボンコア１軸に向かう光軸を持つ投光部６０と、投光部６０の光の円筒状壁部３０周面からの反射光をとらえる受光部７０とから構成される反射型センサを、熱転写インクリボンコア１の外に配置し、熱転写インクリボンコア１を等速回転させた時の、円筒状壁部３０からの反射光による反射型センサの受光部７０の出力信号から、円筒状壁部３０周面上の切欠き部３５の個数を計数し、その個数から熱転写インクリボンコア１に巻かれた熱転写インクリボンを判別熱転写インクリボン判別方法である。この判別時において、切欠き部３５の個数がゼロであるか、あるいは熱転写インクリボンの種類に対応していない個数である場合は、熱転写インクリボンが正規品でないと判断する。
【００３４】
熱転写インクリボンを簡便に判別するための判別装置および方法を提供することが可能となった。
【符号の説明】
【００３５】
１・・・熱転写インクリボンコア
１０・・・巻取り部
１５・・・巻取り部の軸方向端部
２０・・・駆動伝達部
２５・・・駆動伝達部端部
３０・・・円筒状壁部
３５・・・切欠き部
３６・・・切欠き部底部
４０・・・投光部（透過型センサ）
５０・・・受光部（透過型センサ）
６０・・・投光部（反射型センサ）
７０・・・受光部（反射型センサ）
１００・・・熱転写インクリボン判別装置
２００・・・熱転写インクリボン判別装置
ｈｄ・・・巻取り部の軸方向端部１５面から前記駆動伝達部端部２５面までの軸方向距離
ｈｋ・・・巻取り部の軸方向端部１５面から前記円筒状壁部における切欠き部底部３６面までの軸方向距離
【図１】
2022000332.tif 000003
【図２】
2022000332.tif 000004
【図３】
2022000332.tif 000005
【図４】
2022000332.tif 000006
【図５】
2022000332.tif 000007
【図６】
2022000332.tif 000008